(57)【要約】【課題】  ポジショナの開閉位置をLEDなどの発光体から成る発光式表示器で表示するようにし、発光表示内容をカバー部に設けた表示部から容易に視認可能にすると共に、ポジショナ内の発光表示部とカバーの表示部とを光ファイバケーブルの如き光誘導路手段で接続して、電気配線やLEDの取付け等に関連する前記問題点を解消すると共に、カバーの開閉に際しても光誘導路手段が邪魔とならないようにすることを課題とする。【解決手段】  バルブを駆動する電動アクチュエータの動作角度を検出する角度検出手段と、該電動アクチュエータの出力制御を行う制御手段とを含むバルブ用ポジショナにおいて、ポジショナにより設定されている弁体の開閉位置を表示する発光表示手段を備え、該発光表示手段の発光を、光誘導路手段でポジショナの外面に位置する表示部まで誘導するようにしたことを特徴とする。【選択図】  図１
2005273857.tif 000002
【特許請求の範囲】
【請求項１】
バルブを駆動する電動アクチュエータの動作角度を検出する角度検出手段と、該電動アクチュエータの出力制御を行う制御手段とを含むバルブ用ポジショナにおいて、ポジショナにより設定されている弁体の開閉位置を表示する発光表示手段を備え、該発光表示手段の発光を、光誘導路手段でポジショナの外面に位置する表示部まで誘導するようにしたことを特徴とするバルブ用ポジショナ。
【請求項２】
表示部が、ポジショナカバーのインジケータ窓部に設けられており、開閉位置を表示する発光表示手段の発光色をインジケータ窓部において視認可能としたことを特徴とする請求項１記載のバルブ用ポジショナ。
【請求項３】
発光表示手段の発光色を誘導する光誘導路手段がポジショナカバー内部に取付けられており、該カバーの着脱時に光誘導路手段をカバーと共に着脱するようにしたことを特徴とする請求項１又は２記載のバルブ用ポジショナ。
【請求項４】
発光表示手段の発光体が光ダイオードからなり、光誘導路手段が光ファイバケーブルからなることを特徴とする請求項１乃至３のいずれかに記載のバルブ用ポジショナ。
【請求項５】
一端を発光表示手段の発光部に近接して位置させ、他端をインジケータ窓部のインジケータ部に位置させた光ファイバケーブルをポジショナカバー内部に取付け、光ファイバケーブルをポジショナカバーと共に着脱自在としたことを特徴とする請求項４記載のバルブ用ポジショナ。
【発明の詳細な説明】
【技術分野】
【０００１】
この発明は、バタフライ弁等のバルブのアクチュエータを制御するバルブ用ポジショナに関する。
【背景技術】
【０００２】
従来、管路を流過する流体を開閉、制御するバタフライ弁等の弁は公知であり広く実用に供されている。弁は通常管路内に位置する弁本体部と管路の外に位置するいわゆるアクチュエータと称せられる弁駆動部とから構成されており、弁体は弁駆動部からの駆動力で開閉作動される。弁駆動部の一種である電動アクチュエータは、バルブ用ポジショナによりアクチュエータの動作角度を検出し、該検出された動作角度と所定の設定値とに基づいて電動アクチュエータの出力制御を行い、所定の駆動力を弁体に付与している。
【０００３】
バルブアクチュエータには、弁体の開閉状態を外部から確認するための機械的なインジケータがアクチュエータの出力軸に取付けられており、全開、全閉或いは中間位置の確認を可能としていると共に、その位置情報をリミットスイッチの接点の切換等により電気的な信号として取り出して、外部へ出力するようにしたものが従来提案されており、例えば実開平3−115272号の考案に開示されている。
【０００４】
かかるアクチュエータのポジショナは、しばしば表示ランプ等の電装部品を接続可能な全開、全閉位置の接点のみを内蔵したものがユーザーに提供され、ユーザーは所望の表示用電装部品を入手して接点に接続して組み込み、所望の表示を行うようにしている。しかしながら、かかる接点のみを備える場合には、メーカーからの出荷検査時などには、接点の状態を確認するために外部に検査用のランプ回路等を接続するか、テスタなどの測定機器を使用する必要があり、調整などのために検査に時間がかかる問題を有している。又、ユーザーの設備に設置された場合においても、メンテナンスや点検時には、そのポジショナの取り付けられたアクチュエータではなく、電装部品の表示と実際のアクチュエータの動き若しくはアクチュエータに内蔵されているインジケータとを比較しながら行わなければならず、作業が煩雑になっている。
【０００５】
【特許文献１】実開平3−115272号公報
【発明の開示】
【発明が解決しようとする課題】
【０００６】
ポジショナ内部に、全開、全閉の位置を表示する表示器を具備させることも可能であるが、表示ランプのサイズによる装着の可能性の問題や、装着可能である場合においてもポジショナのカバーを開放して見る必要があり、作業が面倒であった。カバーに内部を視認可能な透明部を設けることも考えられるが、屋外にポジショナが設置される場合、透明部から直射日光が侵入し、ポジショナ内部の温度を上昇させて電子機器や回路等に悪影響を与えるおそれがあり、設置場所が限定され、実用的ではなかった。
【０００７】
この発明は、ポジショナの開閉位置をLEDなどの発光体から成る発光式表示器で表示するようにし、発光表示内容をカバー部に設けた表示部から容易に視認可能にすると共に、ポジショナ内の発光表示部とカバーの表示部とを光ファイバケーブルの如き光誘導路手段で接続して、電気配線やLEDの取付け等に関連する前記問題点を解消すると共に、カバーの開閉に際しても光誘導路手段が邪魔とならないようにすることを課題とする。
【課題を解決するための手段】
【０００８】
本発明は、バルブを駆動する電動アクチュエータの動作角度を検出する角度検出手段と、該電動アクチュエータの出力制御を行う制御手段とを含むバルブ用ポジショナにおいて、ポジショナにより設定されている弁体の開閉位置を表示する発光表示手段を備え、該発光表示手段の発光を、光誘導路手段でポジショナの外面に位置する表示部まで誘導するようにしたことを特徴とする。
【０００９】
表示部が、ポジショナカバーのインジケータ窓部に設けられており、開閉位置を表示する発光表示手段の発光色をインジケータ窓部において視認可能としたことを特徴とする。
【００１０】
発光表示手段の発光色を誘導する光誘導路手段が、ポジショナカバー内部に取付けられており、該カバーの着脱時に光誘導路手段をカバーと共に着脱するようにしたことを特徴とし、発光表示手段の発光体が光ダイオードからなり、光誘導路手段が光ファイバケーブルからなることを特徴とする。
【００１１】
一端を発光表示手段の発光部に近接して位置させ、他端をインジケータ窓部のインジケータ部に位置させた光ファイバケーブルをポジショナカバー内部に取付け、光ファイバケーブルをポジショナカバーと共に着脱自在としたことを特徴とする。
【発明の効果】
【００１２】
本発明のバルブ用ポジショナによれば、外部からリミットスイッチ等のバルブの位置状態を測定器や外部回路を用いることなく容易に確認することが出来る。光ファイバケーブルの如き光誘導路手段を使用することが出来、現場でのメンテナンス時間を短縮することが出来る。又、メーカー出荷時の検査も、外部機器を必要とすることなく、ポジショナ単体で行うことが出来るため、時間短縮が可能となり、コストダウンを図り得る。光表示手段を内蔵したポジショナであれば、光ファイバケーブルにより容易に外部から視認出来る窓部に光表示内容を表出することが出来るとともに、光ファイバケーブルは非常に細いものを入手出来るため、容易に既存のポジショナに取付けることが出来る。更に、ポジショナカバーを開放することなく運転状態を確認することが出来るため、メンテナンス時間を短縮することが可能となる。
【発明を実施するための最良の形態】
【００１３】
この発明の好ましい実施の形態を、以下に詳細に説明する。図１、２を参照して、電動アクチュエータ(１)は、弁体に接続されるバルブ駆動軸(２)を備えており、本体ケーシング(３)と該本体ケーシング(３)を開閉するポジショナカバー(４)からなる。本体ケーシング(３)内は水平な隔壁(５)で上下室に分割され、下部室内においてバルブ駆動軸(２)には、モータ(６)が歯車伝導機構(７)を介して連結される。又、上部室内には、隔壁を貫通してバルブ駆動軸(２)が延び出していると共に、該バルブ駆動軸(２)に連結された位置決め部材(８)に接続され軸の回転角度を検出する角度検出手段(９)や、該検出された回転角度と予め設定された設定値に基づいて前記モータ(６)の出力制御を行う制御回路等からなるポジショナ部(10)が配設される。更に、該上部室内には前記角度検出手段(９)で検出された回転角度により開度を判定する。又、モータ(６)のハンチングを検出するハンチング検出回路、内部の温度を検出する温度センサー等の温度検出手段、該検出された温度を判定する温度判定回路等が設置される。
【００１４】
角度検出手段で検出され、判定された開度状態は、適宜外部に出力されると共に、発光表示手段(11)に発光表示される。発光表示手段は、全開、全閉及び中間位置の開度状態を表示する複数の表示部から構成されており、開度に対応する異なった色彩で発光表示することが出来る。
【００１５】
本体ケーシング(３)内に設置された発光表示手段(11)の発光体に近接して光ファイバケーブル等の光誘導路手段(12)の一端を配置し、他の一端をポジショナカバー(４)に形成されたインジケータ窓(13)の表示部(14)に配設して、発光表示手段(11)の発光を表示部(14)に誘導し、該表示部(14)から発光表示内容を視認可能とする。光ファイバケーブル(12)は、ポジショナカバー(４)の内面に取付けられ、ポジショナカバー(４)と共に、本体ケーシング(３)から着脱させることが出来る。(15)は、光ファイバケーブル(12)の一端を発光表示手段(11)の発光部に安定に近接させるためのファイバケーブル固定用部材である。インジケータ窓(13)には、弁体の開度を表示するための開度インジケータ(16)が位置づけられている。該開度インジケータ(16)はバルブ駆動軸(２)の先端に連結される。
【００１６】
発光表示手段(11)は、好ましくは発光ダイオード(LED)からなり、全開、全閉或いは中間位置等の複数の開度位置をそれぞれ表示する複数の発光表示部からなり、所定の開度位置に対応して異なった色彩の発光で表示するように構成する。従って、インジケータ窓(13)の表示部(14)に表出した発光色を見ることにより、ポジショナカバー(４)を開放することなく、ポジショナの開度状態を確認することが出来、メンテナンスが容易となる。
【図面の簡単な説明】
【００１７】
【図１】この発明にかかるアクチュエータの概略的な構造を示す断面図
【図２】同平面図
【符号の説明】
【００１８】
(１)電動アクチュエータ
(２)バルブ駆動軸
(３)本体ケーシング
(４)ポジショナカバー
(５)隔壁
(６)モータ
(７)歯車伝導機構
(８)位置決め部材
(９)角度検出手段
(10)ポジショナ部
(11)発光表示手段
(12)光誘導路手段
(13)インジケータ部
(14)表示部
(15)光ファイバ固定用部材
(16)開度インジケータ
【図１】
2005273857.tif 000003
【図２】
2005273857.tif 000004